(57)【要約】【課題】待機モード中の端末機器側の電力負担を軽減する省電力無線ＬＡＮシステム、その省電力方法及びそのプログラムを提供する。【解決手段】アクセスポイント１と無線ＬＡＮステーション２と端末機器３とが無線ＬＡＮネットワークで接続された省電力無線ＬＡＮシステムであって、アクセスポイントは、無線ＬＡＮステーションが待機モードである場合には、起動パケット以外のパケットを廃棄し、起動パケットであれば、無線ＬＡＮステーションに対してビーコン信号に起動パケットを追加して送信する手段を有し、待機モードの無線ＬＡＮステーションは、起動パケットを受信すると通常モードに復帰し、端末機器に対して、装置起動信号をアサートする手段を有し、端末機器は、装置起動信号を受信すると待機モードから通常モードへ復帰する手段を有する。【選択図】図１
2005244329.tif 000002
【特許請求の範囲】
【請求項１】
アクセスポイントと無線ＬＡＮステーションと端末機器とが無線ＬＡＮネットワークで接続された省電力無線ＬＡＮシステムであって、
前記アクセスポイントは、前記無線ＬＡＮステーションが待機モードである場合には、起動パケット以外のパケットを廃棄し、起動パケットであれば、前記無線ＬＡＮステーションに対してビーコン信号に前記起動パケットを追加して送信する手段を有し、
待機モードの前記無線ＬＡＮステーションは、前記起動パケットを受信すると通常モードに復帰し、前記端末機器に対して、装置起動信号をアサートする手段を有し、
前記端末機器は、前記装置起動信号を受信すると待機モードから通常モードへ復帰する手段を有する、省電力無線ＬＡＮシステム。
【請求項２】
アクセスポイントと無線ＬＡＮステーションと端末機器とが無線ＬＡＮネットワークで接続された省電力無線ＬＡＮシステムであって、
前記アクセスポイントは、起動パケット解析部と、データフレーム生成部と、ビーコン生成部と、ステーション情報管理テーブルと、第１のフレーム解析部と、第１の送信フレーム制御部と、第１の受信フレーム制御部とから構成され、
前記無線ＬＡＮステーションは、前記端末機器に接続され、第２の受信フレーム制御部と、第２の送信フレーム制御部と、第２のフレーム解析部とから構成され、
前記ステーション情報管理テーブルは、前記アクセスポイントに接続している各無線ＬＡＮステーションに関する情報を保持し、前記起動パケット解析部へ無線ＬＡＮステーションに関する情報を提供する手段を有し、
前記起動パケット解析部は、提供された前記情報に基づきＬＡＮケーブルから受信したパケット内容を解析し、前記無線ＬＡＮステーションが通常モードで動作している場合はパケットはそのまま前記データフレーム生成部に送り、前記無線ＬＡＮステーションが待機モードで動作している場合は起動パケットか否かの判断が行われ、起動パケットであった場合は前記ビーコン生成部に送り、起動パケットでなかった場合は該当パケットは捨てられ、前記無線ＬＡＮステーションへは伝送しない手段を有し、
前記データフレーム生成部は、パケットからデータフレームを生成し前記第１の送信フレーム制御部へ送る手段を有し、
前記ビーコン生成部は、前記起動パケットを受けたら、端末起動情報を追加してビーコン信号を生成し、前記第１の送信フレーム制御部へ送る手段を有し、
前記第１の送信フレーム制御部は、前記データフレームと前記端末起動情報を追加したビーコン信号を前記無線ＬＡＮステーションへ伝送する手段を有し、
前記第１の受信フレーム制御部は、前記無線ＬＡＮステーションからのフレームを受信し、前記第１のフレーム解析部に送る手段を有し、
前記第１のフレーム解析部は、前記無線ＬＡＮステーションからの管理情報を解析し前記ステーション情報管理テーブルを更新するとともに、データフレームの場合は有線ＬＡＮのデータパケットに変換しＬＡＮケーブル経由で伝送する手段を有し、
前記第２の受信フレーム制御部は、前記アクセスポイントからのフレームを受信し、前記第２のフレーム解析部へ送る手段を有し、
前記第２のフレーム解析部は、前記アクセスポイントからの端末起動情報とデータパケットとの分離を行い、データパケットであれば前記端末機器へ伝送し、端末起動情報であれば前記端末機器に対して装置起動信号をアサートする手段を有し、
前記端末機器は、前記装置起動信号を受信すると待機モードから通常モードへ復帰する手段を有し、
前記第２の送信フレーム制御部は、前記端末機器から伝送されたデータパケットを前記アクセスポイントへ伝送し、前記無線ＬＡＮステーションが待機状態に入った場合、前記アクセスポイントへ前記無線ＬＡＮステーションが待機モードであることを通知する手段を有し、
前記第１のフレーム解析部は、前記ステーション情報管理テーブルを更新し、前記無線ＬＡＮステーションが待機モードであることを記憶する手段を有する、省電力無線ＬＡＮシステム。
【請求項３】
コンピュータ又はマイクロプロセッサを請求項１または請求項２に記載の省電力無線ＬＡＮシステムとして機能させるためのプログラム。
【請求項４】
アクセスポイントと無線ＬＡＮステーションと端末機器とが無線ＬＡＮネットワークで接続された省電力無線ＬＡＮシステムの省電力方法であって、
前記アクセスポイントは、前記無線ＬＡＮステーションが待機モードである場合には、起動パケット以外のパケットを廃棄し、起動パケットであれば、前記無線ＬＡＮステーションに対してビーコン信号に前記起動パケットを追加して送信し、
待機モードの前記無線ＬＡＮステーションは、前記起動パケットを受信すると通常モードに復帰し、前記端末機器に対して、装置起動信号をアサートし、
前記端末機器は、前記装置起動信号を受信すると待機モードから通常モードへ復帰する、省電力無線ＬＡＮシステムの省電力方法。
【請求項５】
アクセスポイントと無線ＬＡＮステーションと端末機器とが無線ＬＡＮネットワークで接続された省電力無線ＬＡＮシステムの省電力方法であって、
前記アクセスポイントは、起動パケット解析部と、データフレーム生成部と、ビーコン生成部と、ステーション情報管理テーブルと、第１のフレーム解析部と、第１の送信フレーム制御部と、第１の受信フレーム制御部とから構成され、
前記無線ＬＡＮステーションは、前記端末機器に接続され、第２の受信フレーム制御部と、第２の送信フレーム制御部と、第２のフレーム解析部とから構成され、
前記ステーション情報管理テーブルにより、前記アクセスポイントに接続している各無線ＬＡＮステーションに関する情報を保持し、前記起動パケット解析部へ無線ＬＡＮステーションに関する情報を提供するステップと、
前記起動パケット解析部により、提供された前記情報に基づきＬＡＮケーブルから受信したパケット内容を解析し、前記無線ＬＡＮステーションが通常モードで動作している場合はパケットはそのまま前記データフレーム生成部に送り、前記無線ＬＡＮステーションが待機モードで動作している場合は起動パケットか否かの判断が行われ、起動パケットであった場合は前記ビーコン生成部に送り、起動パケットでなかった場合は該当パケットは捨てられ、前記無線ＬＡＮステーションへは伝送しないステップと、
前記データフレーム生成部により、パケットからデータフレームを生成し前記第１の送信フレーム制御部へ送るステップと、
前記ビーコン生成部により、前記起動パケットを受けたら、端末起動情報を追加してビーコン信号を生成し、前記第１の送信フレーム制御部へ送るステップと、
前記第１の送信フレーム制御部により、前記データフレームと前記端末起動情報を追加したビーコン信号を前記無線ＬＡＮステーションへ伝送するステップと、
前記第１の受信フレーム制御部により、前記無線ＬＡＮステーションからのフレームを受信し、前記第１のフレーム解析部に送るステップと、
前記第１のフレーム解析部により、前記無線ＬＡＮステーションからの管理情報を解析し前記ステーション情報管理テーブルを更新するとともに、データフレームの場合は有線ＬＡＮのデータパケットに変換しＬＡＮケーブル経由で伝送するステップと、
前記第２の受信フレーム制御部により、前記アクセスポイントからのフレームを受信し、前記第２のフレーム解析部へ送るステップと、
前記第２のフレーム解析部により、前記アクセスポイントからの端末起動情報とデータパケットとの分離を行い、データパケットであれば前記端末機器へ伝送し、端末起動情報であれば前記端末機器に対して装置起動信号をアサートするステップと、
前記端末機器により、前記装置起動信号を受信すると待機モードから通常モードへ復帰するステップと、
前記第２の送信フレーム制御部により、前記端末機器から伝送されたデータパケットを前記アクセスポイントへ伝送し、前記無線ＬＡＮステーションが待機状態に入った場合、前記アクセスポイントへ前記無線ＬＡＮステーションが待機モードであることを通知するステップと、
前記第１のフレーム解析部により、前記ステーション情報管理テーブルを更新し、前記無線ＬＡＮステーションが待機モードであることを記憶するステップとを有する、省電力無線ＬＡＮシステムの省電力方法。
【請求項６】
コンピュータ又はマイクロプロセッサに請求項４または請求項５に記載の省電力無線ＬＡＮシステムの省電力方法を実行させるためのプログラム。
【発明の詳細な説明】
【技術分野】
【０００１】
本発明は、省電力無線ＬＡＮシステム、その省電力方法及びそのプログラムに関する。
【背景技術】
【０００２】
従来、ＬＡＮを利用した省電力機能としてウェイクオンＬＡＮ（Wake on LAN）という方式が知られている。この方式は、端末機器をＬＡＮアダプタ部だけを稼動させる待機モードに設定し、ＬＡＮアダプタ部で特定データを含んだ起動パケットを受信すると端末機器を待機モードから復帰させる方式である（例えば、特許文献１参照。）。
【０００３】
従来の無線ＬＡＮシステムにおける省電力方式を図３を参照して説明する。
【０００４】
図３は従来の無線ＬＡＮシステムにおけるタイムチャートを示している。パケットＰ１は後続のビーコンＢ２のタイミングでステーション２へ通知され、ステーション２はビーコンＢ２に引き続きパケットＰ１を含んだフレームＦ１を受信する。パケットＰ２およびパケットＰ３はビーコンＢ３のタイミングでステーション２へ通知され、ステーション２はビーコン３に引き続きパケットＰ２を含んだフレームＦ２およびパケットＰ３を含んだフレームＦ３を受信する。最後に起動パケットＰ４はビーコンＢ４のタイミングでステーション２へ通知され、ステーション２はビーコンＢ４に引き続き起動パケットＰ４を含んだフレームＦ４を受信する。
【０００５】
従って、ウェイクオンＬＡＮ待機状態にあるにもかかわらず、フレームＦ１、Ｆ２、Ｆ３を受信しなければならず、そのために受信待機電力が余分に必要となる問題がある。
【０００６】
また、通信ネットワーク内の一の端末が他の端末に対して通信要求を行ったときに他の端末がスリープ状態であった場合に、一の端末に対して、他の端末が通信不可であることを示すデータをネットワーク中継部を介して送信し、スリープ状態である端末宛てのパケットを廃棄する、端末動作管理部を備えたネットワーク中継装置がある（特許文献２参照。）。
【０００７】
また、ローカルプロセッサは、受信フレームが電源供給コマンドである時のみ、メイン部への電源供給をなす様、電源コントローラへ指示するが、それ以外の時は、ローカルプロセッサの電源をオフとして、スタンバイ状態へ戻る様に制御する、無線ＬＡＮシステムにおける端末装置がある（特許文献３参照。）。
【特許文献１】特開平１１−１７５２０１号公報
【特許文献２】特開２００２−２４７０６２号公報
【特許文献３】特開平１０−１６４０７７号公報
【発明の開示】
【発明が解決しようとする課題】
【０００８】
上述の従来の方式では、起動パケットを受信するためには、端末機器を宛先とするすべてのパケットを一旦受信した上で、パケットを解析し、起動パケットのみを選別する必要があるが、起動パケット以外のパケットは結果的に無駄に受信され廃棄されることになる。
【０００９】
この方式は有線ＬＡＮシステムに限らず無線ＬＡＮシステムにも適用できるものであるが、無線ＬＡＮはその性質上バッテリ稼動する端末機器との組み合わせにおいて使用されることが多く、一般に有線で電力が供給される有線ＬＡＮシステムに比べて更なる省電力化が要求されている。起動パケットを受信するために不要なパケットまでも受信しなければならないのはバッテリ稼動システムにおいては大きな電力ロスであり、省電力の余地を残している。
【００１０】
本発明の目的は、待機モード中の端末機器側の電力負担を軽減する省電力無線ＬＡＮシステム、その省電力方法及びそのプログラムを提供することにある。
【課題を解決するための手段】
【００１１】
本発明の省電力無線ＬＡＮシステムは、
アクセスポイントと無線ＬＡＮステーションと端末機器とが無線ＬＡＮネットワークで接続された省電力無線ＬＡＮシステムであって、アクセスポイントは、無線ＬＡＮステーションが待機モードである場合には、起動パケット以外のパケットを廃棄し、起動パケットであれば、無線ＬＡＮステーションに対してビーコン信号に起動パケットを追加して送信する手段を有し、待機モードの無線ＬＡＮステーションは、起動パケットを受信すると通常モードに復帰し、端末機器に対して、装置起動信号をアサートする手段を有し、端末機器は、装置起動信号を受信すると待機モードから通常モードへ復帰する手段を有する。
【００１２】
本発明の省電力無線ＬＡＮシステムは、
アクセスポイントと無線ＬＡＮステーションと端末機器とが無線ＬＡＮネットワークで接続された省電力無線ＬＡＮシステムであって、アクセスポイントは、起動パケット解析部と、データフレーム生成部と、ビーコン生成部と、ステーション情報管理テーブルと、第１のフレーム解析部と、第１の送信フレーム制御部と、第１の受信フレーム制御部とから構成され、無線ＬＡＮステーションは、端末機器に接続され、第２の受信フレーム制御部と、第２の送信フレーム制御部と、第２のフレーム解析部とから構成され、ステーション情報管理テーブルは、アクセスポイントに接続している各無線ＬＡＮステーションに関する情報を保持し、起動パケット解析部へ無線ＬＡＮステーションに関する情報を提供する手段を有し、起動パケット解析部は、提供された情報に基づきＬＡＮケーブルから受信したパケット内容を解析し、無線ＬＡＮステーションが通常モードで動作している場合はパケットはそのままデータフレーム生成部に送り、無線ＬＡＮステーションが待機モードで動作している場合は起動パケットか否かの判断が行われ、起動パケットであった場合はビーコン生成部に送り、起動パケットでなかった場合は該当パケットは捨てられ、無線ＬＡＮステーションへは伝送しない手段を有し、データフレーム生成部は、パケットからデータフレームを生成し第１の送信フレーム制御部へ送る手段を有し、ビーコン生成部は、起動パケットを受けたら、端末起動情報を追加してビーコン信号を生成し、第１の送信フレーム制御部へ送る手段を有し、第１の送信フレーム制御部は、データフレームと端末起動情報を追加したビーコン信号を無線ＬＡＮステーションへ伝送する手段を有し、第１の受信フレーム制御部は、無線ＬＡＮステーションからのフレームを受信し、第１のフレーム解析部に送る手段を有し、第１のフレーム解析部は、無線ＬＡＮステーションからの管理情報を解析しステーション情報管理テーブルを更新するとともに、データフレームの場合は有線ＬＡＮのデータパケットに変換しＬＡＮケーブル経由で伝送する手段を有し、第２の受信フレーム制御部は、アクセスポイントからのフレームを受信し、第２のフレーム解析部へ送る手段を有し、第２のフレーム解析部は、アクセスポイントからの端末起動情報とデータパケットとの分離を行い、データパケットであれば端末機器へ伝送し、端末起動情報であれば端末機器に対して装置起動信号をアサートする手段を有し、端末機器は、装置起動信号を受信すると待機モードから通常モードへ復帰する手段を有し、第２の送信フレーム制御部は、端末機器から伝送されたデータパケットをアクセスポイントへ伝送し、無線ＬＡＮステーションが待機状態に入った場合、アクセスポイントへ無線ＬＡＮステーションが待機モードであることを通知する手段を有し、第１のフレーム解析部は、ステーション情報管理テーブルを更新し、無線ＬＡＮステーションが待機モードであることを記憶する手段を有する。
【００１３】
本発明のプログラムは、コンピュータ又はマイクロプロセッサを上述の省電力無線ＬＡＮシステムとして機能させる。
【００１４】
本発明の省電力無線ＬＡＮシステムの省電力方法は、
アクセスポイントと無線ＬＡＮステーションと端末機器とが無線ＬＡＮネットワークで接続された省電力無線ＬＡＮシステムの省電力方法であって、アクセスポイントは、無線ＬＡＮステーションが待機モードである場合には、起動パケット以外のパケットを廃棄し、起動パケットであれば、無線ＬＡＮステーションに対してビーコン信号に起動パケットを追加して送信し、待機モードの無線ＬＡＮステーションは、起動パケットを受信すると通常モードに復帰し、端末機器に対して、装置起動信号をアサートし、端末機器は、装置起動信号を受信すると待機モードから通常モードへ復帰する。
【００１５】
本発明の省電力無線ＬＡＮシステムの省電力方法は、
アクセスポイントと無線ＬＡＮステーションと端末機器とが無線ＬＡＮネットワークで接続された省電力無線ＬＡＮシステムの省電力方法であって、アクセスポイントは、起動パケット解析部と、データフレーム生成部と、ビーコン生成部と、ステーション情報管理テーブルと、第１のフレーム解析部と、第１の送信フレーム制御部と、第１の受信フレーム制御部とから構成され、無線ＬＡＮステーションは、端末機器に接続され、第２の受信フレーム制御部と、第２の送信フレーム制御部と、第２のフレーム解析部とから構成され、ステーション情報管理テーブルにより、アクセスポイントに接続している各無線ＬＡＮステーションに関する情報を保持し、起動パケット解析部へ無線ＬＡＮステーションに関する情報を提供するステップと、起動パケット解析部により、提供された情報に基づきＬＡＮケーブルから受信したパケット内容を解析し、無線ＬＡＮステーションが通常モードで動作している場合はパケットはそのままデータフレーム生成部に送り、無線ＬＡＮステーションが待機モードで動作している場合は起動パケットか否かの判断が行われ、起動パケットであった場合はビーコン生成部に送り、起動パケットでなかった場合は該当パケットは捨てられ、無線ＬＡＮステーションへは伝送しないステップと、データフレーム生成部により、パケットからデータフレームを生成し第１の送信フレーム制御部へ送るステップと、ビーコン生成部により、起動パケットを受けたら、端末起動情報を追加してビーコン信号を生成し、第１の送信フレーム制御部へ送るステップと、第１の送信フレーム制御部により、データフレームと端末起動情報を追加したビーコン信号を無線ＬＡＮステーションへ伝送するステップと、第１の受信フレーム制御部により、無線ＬＡＮステーションからのフレームを受信し、第１のフレーム解析部に送るステップと、第１のフレーム解析部により、無線ＬＡＮステーションからの管理情報を解析しステーション情報管理テーブルを更新するとともに、データフレームの場合は有線ＬＡＮのデータパケットに変換しＬＡＮケーブル経由で伝送するステップと、第２の受信フレーム制御部により、アクセスポイントからのフレームを受信し、第２のフレーム解析部へ送るステップと、第２のフレーム解析部により、アクセスポイントからの端末起動情報とデータパケットとの分離を行い、データパケットであれば端末機器へ伝送し、端末起動情報であれば端末機器に対して装置起動信号をアサートするステップと、端末機器により、装置起動信号を受信すると待機モードから通常モードへ復帰するステップと、第２の送信フレーム制御部により、端末機器から伝送されたデータパケットをアクセスポイントへ伝送し、無線ＬＡＮステーションが待機状態に入った場合、アクセスポイントへ無線ＬＡＮステーションが待機モードであることを通知するステップと、第１のフレーム解析部により、ステーション情報管理テーブルを更新し、無線ＬＡＮステーションが待機モードであることを記憶するステップとを有する。
【００１６】
本発明のプログラムは、コンピュータ又はマイクロプロセッサに上述の省電力無線ＬＡＮシステムの省電力方法を実行させる。
【発明の効果】
【００１７】
本発明には、以下の効果がある。
【００１８】
一般に無線ＬＡＮシステムにおいては、アクセスポイントは有線で電力が供給されており、端末機器に比べ省電力に関する制約が少ないといえる。本発明では従来ステーション側で行っていた処理をアクセスポイントに肩代わりさせ、待機モード中の通信量を削減することで、端末機器側の電力負担を軽減する。
【００１９】
即ち、本発明によれば、端末機器がウェイクオンＬＡＮ待機状態にある場合においては、アクセスポイントで起動パケット以外のパケットを廃棄し、起動パケットの場合のみ、無線ＬＡＮステーションに対するビーコン信号に装置起動情報を追加し、無線ＬＡＮステーションに起動パケットが送られたことを通知することにより、アクセスポイントからの不要パケットの送信を抑止することができる。従って、待機状態の場合に無線ＬＡＮステーション側で不要パケットを受信し解析する処理を省略することができ、無線ＬＡＮステーションの受信待機時間およびパケット受信処理を削減し、従来以上に端末機器の省電力効果を高めることができる。
【発明を実施するための最良の形態】
【００２０】
（発明の第１の実施の形態）
図１は、本発明の第１の実施の形態の省電力無線ＬＡＮシステムのブロック図である。図１においてアクセスポイント１は、起動パケット解析部１１、データフレーム生成部１２、ビーコン生成部１３、ステーション情報管理テーブル１４、フレーム解析部１５、送信フレーム制御部１６、受信フレーム制御部１７から構成されている。無線ＬＡＮステーション２は端末機器３に接続され、その機能の一部を構成している。無線ＬＡＮステーション２は受信フレーム制御部２１、送信フレーム制御部２２、フレーム解析部２３から構成されている。
【００２１】
アクセスポイント１では、ＬＡＮケーブルから受信したパケットは起動パケット解析部１１においてパケット内容の解析が行われる。ステーション情報管理テーブル１４はアクセスポイント１に接続している各無線ＬＡＮステーションに関する情報を保持しており、起動パケット解析部１１へ無線ＬＡＮステーション２に関する情報を提供し、起動パケット解析部１１は与えられた情報に基づきパケット内容を解析する。
【００２２】
無線ＬＡＮステーション２が通常モードで動作している場合はパケットはそのままデータフレーム生成部１２に渡され、送信フレーム制御部１６を経由して無線ＬＡＮステーション２へ伝送される。無線ＬＡＮステーション２が待機モードで動作している場合は起動パケット解析部１１において起動パケットか否かの判断が行われ、起動パケットであった場合はビーコン生成部１３で生成されるビーコン信号に端末起動情報を追加し、送信フレーム制御部１６を経由して無線ＬＡＮステーション２へ伝送される。起動パケットでなかった場合は該当パケットは捨てられ、無線ＬＡＮステーション２へは伝送されない。
【００２３】
受信フレーム制御部１７では無線ＬＡＮステーション２からのフレームを受信し、フレーム解析部１５に送る。フレーム解析部１５では無線ＬＡＮステーション２からの管理情報を解析しステーション情報管理テーブル１４を更新するとともに、データフレームの場合は有線ＬＡＮのデータパケットに変換しＬＡＮケーブル経由で伝送する。
【００２４】
無線ＬＡＮステーション２では、受信フレーム制御部２１はアクセスポイント１からのフレームを受信し、フレーム解析部２３へ送る。フレーム解析部２３ではアクセスポイント１からの制御情報とデータパケットの分離を行い、データパケットであれば端末機器３へ伝送する。
【００２５】
無線ＬＡＮステーション２が待機モードで実行されており、かつアクセスポイント１から、装置起動情報が追加されたビーコンを受信した場合には、端末機器３に対して、装置起動信号をアサートすることで、端末機器３は待機モードから通常モードへ復帰することができる。
【００２６】
送信フレーム制御部２２では端末機器３から伝送されたデータパケットをアクセスポイント１へ伝送する。また無線ＬＡＮステーション２が待機状態に入った場合、アクセスポイント１へ無線ＬＡＮステーション２が待機モードであることを通知し、アクセスポイント１ではフレーム解析部１５がステーション情報管理テーブル１４を更新し、無線ＬＡＮステーション２が待機モードであることを記憶する。
【００２７】
次に本実施の形態の動作を図２に示すタイムチャートを使用して説明する。
【００２８】
図２において、アクセスポイント１はビーコン信号を定期的な間隔でブロードキャストしている。無線ＬＡＮでは、ビーコン信号にはアクセスポイント側に未受信のパケットが蓄積されているという情報が格納されている。無線ＬＡＮステーション２はビーコン信号を受け取るために周期的に省電力モードから一時復帰し、ビーコン信号の受信待機を行う。図２では、時刻ｔ１、ｔ２、ｔ３、ｔ４においてビーコン信号が発信されている。無線ＬＡＮステーション２では、ビーコン信号から、アクセスポイント１に受信待ちのパケットが蓄積されているか否かを判断し、受信待ちのパケットがない場合はすぐに省電力モードに戻る。受信待ちのパケットがある場合はそのまま受信待機状態を継続し、アクセスポイント１から受信待ちのパケットを受信する。
【００２９】
本実施の形態では、無線ＬＡＮステーション２が待機モードで実行されている場合には、起動パケット解析部１１において起動パケット以外のパケットＰ１、Ｐ２、Ｐ３が廃棄されるため、ビーコンＢ２、Ｂ３において受信待ちのパケットは存在しない。起動パケットＰ４だけは、ビーコンＢ４のタイミングで無線ＬＡＮステーション２に通知され、無線ＬＡＮステーション２ではビーコンＢ４に引き続き起動パケットＰ４を含んだフレームＦ４を受信する。
【００３０】
これにより、本実施の形態によれば、ウェイクオンＬＡＮ待機状態にある無線ＬＡＮステーション２での受信待機時間およびパケット受信処理を削減し、端末機器３の省電力効果を高めることができる。
【００３１】
（発明の第２の実施の形態）
なお、本発明は上記バッテリ駆動の端末機器での実施の形態に限定されるものではなく、無線ＬＡＮシステムを構成する端末機器であれば、有線で電力が供給される機器においても同様に適用することができる。
【００３２】
また、本発明は無線ＬＡＮという伝送媒体に限らず、有線ＬＡＮパケットをカプセル化し他伝送媒体へブリッジする通信システムにおいて応用することができる。
【００３３】
また、上述の本発明の実施の形態についての省電力無線ＬＡＮシステムのプログラムにより、コンピュータ又はマイクロプロセッサを省電力無線ＬＡＮシステムとして機能させることができる。
【００３４】
また、上述の本発明の実施の形態についての省電力無線ＬＡＮシステムの省電力方法のプログラムにより、コンピュータ又はマイクロプロセッサにその省電力無線ＬＡＮシステムの省電力方法を実行させることができる。
【図面の簡単な説明】
【００３５】
【図１】本発明の第１の実施の形態の省電力無線ＬＡＮシステムのブロック図を示す図である。
【図２】本実施の形態の動作を示すタイムチャートである。
【図３】従来の無線ＬＡＮシステムにおけるタイムチャートを示す図である。
【符号の説明】
【００３６】
１    アクセスポイント
２    無線ＬＡＮステーション
３    端末機器
１１    起動パケット解析部
１２    データフレーム生成部
１３    ビーコン生成部
１４    ステーション情報管理テーブル
１５、２３    フレーム解析部
１６、２２    送信フレーム制御部
１７、２１    受信フレーム制御部
【図１】
2005244329.tif 000003
【図２】
2005244329.tif 000004
【図３】
2005244329.tif 000005